(57)【要約】  【課題】洗車機用洗浄ブラシにおいて、ブラシ片の乾燥、ブラシ片の汚れ、水分等の除去が容易にできると共に、ブラシ片の磨耗、劣化、脱落等が発生することが無い洗車機用洗浄ブラシ、及び前記洗車機用洗浄ブラシを搭載した洗車機を提供する。【解決手段】自動車洗浄用あるいは車両洗浄用の洗車機用洗浄ブラシにおいて、前記洗車機用洗浄ブラシは、本体部、絞り部、及び連結部を有し、前記本体部は、軸体及びブラシ片を有すると共に、前記ブラシ片は、前記軸体の外周部に形成されてあり、前記絞り部は、前記ブラシ片に当接可能であり、前記連結部にて前記本体部、及び前記絞り部が連結されてあるものである。【選択図】      図１
2008007024.tif 000002
【特許請求の範囲】
【請求項１】
自動車洗浄用あるいは車両洗浄用の洗車機用洗浄ブラシにおいて、前記洗車機用洗浄ブラシは、本体部、絞り部、及び連結部を有し、前記本体部は、軸体及びブラシ片を有すると共に、前記ブラシ片は、前記軸体の外周部に形成されてあり、前記絞り部は、前記ブラシ片に当接可能であり、前記連結部にて前記本体部、及び前記絞り部が連結されてあることを特徴とする洗車機用洗浄ブラシ。
【請求項２】
請求項１記載の構成よりなる洗車機用洗浄ブラシにおいて、前記絞り部はローラーにて形成されてあることを特徴とする洗車機用洗浄ブラシ。
【請求項３】
請求項１から２記載の構成よりなる洗車機用洗浄ブラシにおいて、前記絞り部は、ブラシ体にて形成されてあることを特徴とする洗車機用洗浄ブラシ。
【請求項４】
請求項１から３記載の構成よりなる洗車機用洗浄ブラシにおいて、前記絞り部は、流体の流出手段が形成されてあることを特徴とする洗車機用洗浄ブラシ。
【請求項５】
請求項１から４記載の構成よりなる洗車機用洗浄ブラシにおいて、前記連結部における前記本体部、及び前記絞り部の連結距離は、少なくとも洗浄時においては前記本体部、及び前記絞り部が当接することが無いと共に、非洗浄時においては前記本体部、及び前記絞り部が当接するよう前記連結距離が選択可能であることを特徴とする洗車機用洗浄ブラシ。
【請求項６】
請求項１から５記載の構成よりなる洗車機用洗浄ブラシにおいて、前記本体部は、前記絞り部が前記ブラシ片に当接している時における前記本体部の回転数と、前記絞り部が前記ブラシ片に当接していない時における前記本体部の回転数が、異なった設定であることを特徴とする洗車機用洗浄ブラシ。
【請求項７】
駆動源と、被洗浄面に散布する洗浄剤及び水を噴出させるノズルと、洗浄後の被洗浄面を乾燥させる乾燥手段を備えると共に、請求項１から６のいずれか１項に記載の洗車機用洗浄ブラシを搭載したことを特徴とする洗車機。
【発明の詳細な説明】
【技術分野】
【０００１】
本発明は、自動車あるいは車両の外面の被洗浄面に付着した汚れ等を洗浄する為の洗車機に使用する洗車機用洗浄ブラシ、及びその洗車機用洗浄ブラシを搭載した洗車機に関するものである。
【背景技術】
【０００２】
自動車あるいは車両の外面の被洗浄面に付着した汚れ等を洗浄する為の洗車機に使用する洗車機用洗浄ブラシ、及びその洗車機用洗浄ブラシを搭載した洗車機に関しては、使用目的に応じて、さまざまな改良がなされ、例えば、門型に形成された洗車機本体内に洗浄ブラシ、散水ノズル等の洗車処理装置を備え、洗車機本体または自動車の走行に伴い、自動車車体の洗浄等の処理を行う洗車機において、洗浄ブラシに洗浄剤を散布する洗浄剤散布工程と、洗浄ブラシの汚れを落とす洗浄工程と洗浄ブラシの汚れを洗い流す濯ぎ工程を順次行うことを特徴とする洗車機における洗浄ブラシの洗浄方法および同方法を用いた洗車機が、特開平９−１４２２６６号公報に開示されてある。
【０００３】
また、自動車を跨ぐように門型状に形成された本体に、本体もしくは自動車の走行に伴い自動車車体の上面形状に沿って昇降し車体をブラッシング後にトップブラシの水切りを行うに際してトップブラシを回転させると共にトップノズルによりトップブラシに風を吹き付けることを特徴とする洗車機が、特開平１０−２１７９２０号公報に開示されてある。
【０００４】
【特許文献１】特開平９−１４２２６６号公報
【特許文献１】特開平１０−２１７９２０号公報
【発明の開示】
【発明が解決しようとする課題】
【０００５】
従来の洗車機用洗浄ブラシ、及びその洗車機用洗浄ブラシを搭載した洗車機は、例えば、上記の如くの特徴を有する技術が開示されてあるが、特開平９−１４２２６６号公報に開示されてある技術においては、洗浄ブラシの汚れを落とす洗浄工程と洗浄ブラシの汚れを洗い流す濯ぎ工程時、及び洗浄ブラシの洗浄を行った後に、洗浄ブラシの凍結を防止する凍結防止動作を行う時には、ブラシ同士を接触させて作用する為、互いのブラシ片が巻きついてブラシ片の脱落、磨耗、劣化、破損、及び動作不良が発生すると共に、ブラシに付着した汚れ、水分等を絞ることができないという課題を有していた。
【０００６】
また、特開平１０−２１７９２０号公報に開示されてある技術においては、トップノズルが、トップブラシと別体になっている為、構造が複雑であるという課題を有していると共に、トップブラシを回転させ、遠心力にて飛ばされた水が周囲に飛散を防止する構造の為、低速でトップブラシを回転させた場合には、十分に水切れができないと共に、高速にてトップブラシを回転させた場合にはノズルの近傍のみにて飛散を防止できるが、近傍以外は飛散するというという課題を有していた。また、ノズルは、非接触の為、ブラシに付着した汚れ、水分等を絞ることができないという課題を有していた。
【０００７】
本発明は、上記のような課題を解決する為になされたもので、洗車機用洗浄ブラシにおいて、ブラシ片の乾燥、ブラシ片の汚れ、水分等の除去が容易にできると共に、ブラシ片の磨耗、劣化、脱落等が発生することが無い洗車機用洗浄ブラシ、及び前記洗車機用洗浄ブラシを搭載した洗車機を提供することを目的としている。
【課題を解決するための手段】
【０００８】
本発明は、上記のような課題を解決する為になされたもので、洗車機用洗浄ブラシは、前記絞り部が、前記ブラシ片に当接可能である為、ブラシ片の汚れ、水分等の除去において、ブラシ片の磨耗、劣化、脱落等が発生することが無いと共に、ブラシ片の乾燥、水滴除去等においても、迅速かつ容易にできる。
【０００９】
また、本発明の洗車機は、駆動源と、被洗浄面に散布する洗浄剤及び水を噴出させるノズルと、洗浄後の被洗浄面を乾燥させる乾燥手段を備えると共に、請求項１から６記載の洗車機用洗浄ブラシを搭載したもので、本体部、絞り部、及び連結部を有する洗車機用洗浄ブラシが搭載されてある。その為、洗車機用洗浄ブラシのブラシ片の汚れ、水分等の除去において、ブラシ片の磨耗、劣化、脱落等が発生することが無いと共に、ブラシ片の乾燥、水滴除去等においても、迅速かつ容易に使用することができる。
【発明の効果】
【００１０】
本発明の洗車機用洗浄ブラシは、本体部、絞り部、及び連結部を有し、前記本体部は、軸体及びブラシ片を有すると共に、前記ブラシ片は、前記軸体の外周部に形成されてあり、前記絞り部は、前記ブラシ片に当接可能であり、前記連結部にて前記本体部、及び前記絞り部が連結されてある。その為、絞り部にて水分等を絞ることができる為、ブラシ片の汚れ、水分等の除去ができる。
【００１１】
また、前記絞り部はローラーにて形成されてある。その為、ローラーを回転させながらブラシ片に当接できる為、ブラシ片とローラーにて摩擦等が発生することなく当接できる為、ブラシ片が磨耗、破損すること無くブラシ片の汚れ、水分等の除去することができる。
【００１２】
また、前記絞り部は、ブラシ体にて形成されてある。その為、ブラシ片に付着した、汚れ等を掻き出して取除くことができる。
【００１３】
また、前記絞り部は、流体の流出手段が形成されてある。その為、温風、冷風、ミスト等の流体をブラシ片に吹き付けることができる為、ブラシ片に付着した水分等を吹き飛ばすと共に、乾燥させることができる。
【００１４】
また、前記連結部における前記本体部、及び前記絞り部の連結距離は、少なくとも洗浄時においては前記本体部、及び前記絞り部が当接することが無いと共に、非洗浄時においては前記本体部、及び前記絞り部が当接するよう前記連結距離が選択可能である。その為、洗浄時には、絞り部の負荷なしで円滑に洗浄ができると共に、非洗浄時には、絞り部を当接させてブラシの水分等を除去できる。
【００１５】
また、前記本体部は、前記絞り部が前記ブラシ片に当接している時における前記本体部の回転数と、前記絞り部が前記ブラシ片に当接していない時における前記本体部の回転数が、異なった設定である。その為、絞り部にかかる負荷を低減できると共に、ブラシ片の破損、脱落等を防止できる。
【００１６】
また、駆動源と、被洗浄面に散布する洗浄剤及び水を噴出させるノズルと、洗浄後の被洗浄面を乾燥させる乾燥手段を備えると共に、請求項１から６のいずれか１項に記載の洗車機用洗浄ブラシを搭載したことを特徴とする洗車機。その為、洗車機用洗浄ブラシのブラシ片の汚れ、水分等の除去において、ブラシ片の磨耗、劣化、脱落等が発生することが無いと共に、ブラシ片の乾燥、水滴除去等においても、迅速かつ容易に使用することができる。
【発明を実施するための最良の形態】
【００１７】
第１の発明は、自動車洗浄用あるいは車両洗浄用の洗車機用洗浄ブラシにおいて、前記洗車機用洗浄ブラシは、本体部、絞り部、及び連結部を有し、前記本体部は、軸体及びブラシ片を有すると共に、前記ブラシ片は、前記軸体の外周部に形成されてあり、前記絞り部は、前記ブラシ片に当接可能であり、前記連結部にて前記本体部、及び前記絞り部が連結されてある。その為、絞り部をブラシ片に当接することが出来る為、絞り部にて、ブラシ片の汚れ、水分等を除去することが出来ると共に、ブラシ片の磨耗、劣化、破損等が発生すること無く高い洗浄性と安全性を兼ね備えた非常に優れた洗車機用洗浄ブラシを使用することができる。また、洗浄後の拭取り作業を必要としない為、洗浄時間の短縮ができると共に、冬季におけるブラシ片の凍結防止につながる。
【００１８】
第２の発明は、第１の発明の洗車機用洗浄ブラシにおいて、前記絞り部はローラーにて形成されてある為、本体部の回転方向、及び速度に合わせてローラーを回転させながら当接できる為、ブラシ片を摩擦等にて、磨耗、破損すること無くブラシ片の汚れ、水分等を除去することができる。その為、ブラシ片に汚れが付着すること無く、汚れを落とすことができる為、洗い残しが無いと共に、高い洗浄性が発揮できる。
【００１９】
第３の発明は、第１から第２の発明の洗車機用洗浄ブラシにおいて、前記絞り部は、ブラシ体にて形成されてある為、ブラシ片にブラシ体を当接することができる。その為、ブラシ体を当接した場合においては、ブラシ片に付着した、汚れ、水分等を掻き出して取除くことができる。その為、ブラシ片に汚れが付着すること無く、瞬時に汚れを落とすことができる為、洗い残しが無いと共に、極めて高い洗浄性が発揮できる。
【００２０】
第４の発明は、第１から第３の発明の洗車機用洗浄ブラシにおいて、前記絞り部は、流体の流出手段が形成されてある為、その為、温風、冷風、ミスト等をブラシ片に吹き付けることができる為、ブラシ片に付着した水分等を吹き飛ばすと共に、乾燥させることができる為、極めて高い洗浄性を発揮できる。
【００２１】
第５の発明は、第１から第４の発明の洗車機用洗浄ブラシにおいて、前記連結部における前記本体部、及び前記絞り部の連結距離は、少なくとも洗浄時においては前記本体部、及び前記絞り部が当接することが無いと共に、非洗浄時においては前記本体部、及び前記絞り部が当接するよう前記連結距離が選択可能である。その為、洗浄時には、絞り部の負荷なしで円滑に洗浄ができると共に、非洗浄時には、絞り部を当接させてブラシの水分等を除去できる為、極めて高い洗浄性が発揮できると共に、極めて高い洗浄性と安全性を兼ね備えた非常に優れた洗車機用洗浄ブラシを使用することができる。
【００２２】
第６の発明は、第１から第５の発明の洗車機用洗浄ブラシにおいて、前記本体部は、前記絞り部が前記ブラシ片に当接している時における前記本体部の回転数と、前記絞り部が前記ブラシ片に当接していない時における前記本体部の回転数が、異なった設定である。その為、絞り部にかかる負荷を低減できると共に、ブラシ片の破損、脱落等を防止できる為、高い洗浄性と安全性を発揮できる。
【００２３】
第７の発明は、駆動源と、被洗浄面に散布する洗浄剤及び水を噴出させるノズルと、洗浄後の被洗浄面を乾燥させる乾燥手段を備えると共に、第１から第６の発明のいずれかに記載の洗車機用洗浄ブラシを搭載した洗車機である。洗車機は、洗浄時において、ブラシ片の磨耗、劣化、脱落等が発生することが無いと共に、ブラシ片の乾燥、水滴除去等を、迅速かつ容易にできる洗車機用洗浄ブラシが搭載されてある為、駆動源により洗車機用洗浄ブラシを高速回転に設定すると共に、洗浄時間を短時間に設定した場合においても、洗浄残りの無い高い洗浄性を発揮することができる。
【００２４】
以下、本発明の実施の形態について図面を参照しながら説明する。なお、この実施の形態により本発明が限定されるものではない。
【００２５】
（実施例１）
図１、図２にて実施例１を示す。図１は、本発明の洗車機用洗浄ブラシを前面側から見た斜視図であり、図２は、（Ａ）本発明の洗車機用洗浄ブラシの他の実施の形態の絞り部の正面図、（Ｂ）本発明の洗車機用洗浄ブラシの他の実施の形態の絞り部の斜視図、（Ｃ）本発明の洗車機用洗浄ブラシの他の実施の形態の絞り部の斜視図である。
【００２６】
図１の如く、洗車機用洗浄ブラシ１は、本体部２、絞り部３、及び連結部４を有し、本体部２は、軸体５及びブラシ片６を有すると共に、ブラシ片６は、軸体５の外周部に形成されてあり、絞り部３は、ブラシ片６に当接可能であり、連結部４にて本体部２、及び絞り部３が連結されてある。また、連結部４は、概コの字形状にて形成されてあり、上面に概Ｓ字形状の溝からなるガイド５８が形成されてある。また、絞り部３は、概円柱状のレバー７の外周部に弾性を有する合成樹脂が形成されてあると共に、レバー７の一端は連結部４のガイド５８に挿入されて形成されてある。また、絞り部３は、レバー７を、ガイド５８内をスライドさせることにより、ブラシ片６にたいして当接あるいは、非当接になるよう設定できる。また、連結部４は、洗車機の内部に装着して固定されてある。
【００２７】
また、ブラシ片６の材料としては使用する目的に応じて、適時、布帛、人工皮革、合成樹脂発泡体、化学繊維、フイルム等を使用しても、何ら支障は無い。また、形状、配置状態、個数等についても、使用目的に応じて、適時、設定しても何ら支障は無い。
【００２８】
また、絞り部３をブラシ片６に当接させる機構については、前記の如く、レバー７とガイド５８を、使用する形態以外にもたとえば、エアーシリンダ等にて、絞り部３をスライドさせて当接させる機構等、当接可能であるならばいかなる形態も採用できる。
【００２９】
また、連結部４の形状は、前記の如く、概コの字形状以外にも、本体部２、及び絞り部３を連結可能な形状であるならば、例えば、連結部４を２つの部材にて本体部２、及び絞り部３を上下から挟みつける形態等、いかなる形態も採用できる。
【００３０】
また、ブラシ片６の軸体５への固定方法は、差込み、はめ込み、接着、リベット等、固定部材にて固定可能であるならばいかなる方法を採用しても何ら支障は無い。
【００３１】
また、絞り部３の表面の材質は、前記の如く、弾性を有する合成樹脂以外にも、使用する目的に応じて、適時、アルミ、鉄、ステンレス、合成ゴム、合成樹脂発泡体等を使用しても、何ら支障は無い。
【００３２】
また、ブラシ片６の汚れ、水分等を除去する作用としては、例えば、衣類に付着した汚れ、水分等を洗濯板等に叩きつけて、洗濯するが如く、回転するブラシ片６を、絞り部３にて叩きつけて、ブラシ片６に付着した汚れ、水分等を除去する。
【００３３】
また、本体部２は、概円筒状の軸体５の外周部に、ブラシ片６をリベットにて固定して形成されてある。絞り部３は、概円柱状のレバー７の外周部に弾性を有する合成樹脂が一体成形にて形成されてある。なお、本体部２は、前記以外にも、例えば、ブラシ片６を概コの字形状の帯状体、及び芯線にてはさみつけてチャンネルブラシを作成した後、軸体５の外周部に巻きつけて形成する形態、ブラシ片６を止め金具等にて軸体５に固定する形態、ブラシ片６をネジ止めにて軸体５に固定する形態等、ブラシ片６が軸体５の外周部に形成できる形態であるならば、いかなる形態も採用できる。
【００３４】
実施例１の洗車機用洗浄ブラシ１は上記の構成となっているので、本体部２、絞り部３、及び連結部４を有し、本体部２は、軸体５及びブラシ片６を有すると共に、ブラシ片６は、軸体５の外周部に形成されてあり、絞り部３は、ブラシ片６に当接可能であり、連結部４にて本体部２、及び絞り部３が連結されてある。その為、絞り部３をブラシ片６に当接することが出来る為、絞り部３にて、ブラシ片６の汚れ、水分等を除去することが出来ると共に、ブラシ片６の磨耗、劣化、破損等が発生すること無く高い洗浄性と安全性を兼ね備えた非常に優れた洗車機用洗浄ブラシ１を使用することができる。また、洗浄後の拭取り作業を必要としない為、洗浄時間の短縮ができると共に、冬季におけるブラシ片６の凍結防止につながる。
【００３５】
また、絞り部３は、回転可能なローラーにて形成されてある為、本体部２の回転方向、及び速度に合わせてローラーは、ブラシ片６に当接しながら回転する。その為、ブラシ片６を摩擦等にて、磨耗、破損すること無くブラシ片６の汚れ、水分等を除去することができる。その為、ブラシ片６に汚れが付着すること無く、汚れを落とすことができる為、洗い残しが無いと共に、高い洗浄性が発揮できる。
【００３６】
また、絞り部３は、当接時に、非回転となる形態のローラーを使用することもできる。
【００３７】
また、絞り部３は、絞り部３の回転駆動源を内蔵、あるいは外付けする形態も採用できる。
【００３８】
また、洗車機用洗浄ブラシ１は、図２の（Ａ）から（Ｃ）の如く、他の実施の形態の形態の絞り部１３、２３、３３を採用できる。絞り部１３、及び２３は、ブラシ体４６、５６にて形成されてある為、ブラシ片６に、ブラシ体４６、５６を当接することができる。その為、絞り部１３、及び２３を当接した場合においては、ブラシ体４６、５６がブラシ片６の表面の細部の凹凸にたいしても、確実に当接して掻き出すことができる、その為、ブラシ片６に付着した、汚れ、水分等を取除くことができる。その為、ブラシ片６に汚れが付着すること無く、瞬時に汚れを落とすことができる為、洗い残しが無いと共に、極めて高い洗浄性が発揮できる。
【００３９】
また、絞り部１３、及び２３は、回転、非回転にて使用できる。
【００４０】
また、絞り部３３は、プレート６６にて形成されてある為、ブラシ片６にプレート６６を当接することができる。その為、絞り体３３を当接した場合においては、ブラシ片６に付着した、汚れ、水分等を拭き取ると共に、掻き取ることができる。その為、ブラシ片６に汚れ、水分等が付着すること無く、瞬時に汚れを落とすことができる為、洗い残しが無いと共に、極めて高い洗浄性が発揮できる。
【００４１】
また、絞り部３３は、回転、非回転にて使用できる。
【００４２】
（実施例２）
図３、図４にて実施例２を示す。図３は、本発明の他の実施の形態の洗車機用洗浄ブラシの断面図であり、図４は、（Ａ）本発明の他の実施の形態の洗車機用洗浄ブラシの絞り部の斜視図、（Ｂ）本発明の他の実施の形態の洗車機用洗浄ブラシの絞り部の断面図である。
【００４３】
図３、図４の如く、洗車機用洗浄ブラシ１１は、絞り部４３は、流体の流出手段８として開口が形成されてあり、一端に流体の流入手段９として穴部が形成されてある。
【００４４】
また、流出手段８は、形状、配置状態、個数等についても、使用目的に応じて、適時、設定しても何ら支障は無い。
【００４５】
図３において、洗車機用洗浄ブラシ１１は、上記の構成となっているので、絞り部４３は、流体の流出手段８が形成されてある。その為、温風、冷風、ミスト等をブラシ片６に吹き付けることができる為、ブラシ片６に付着した水分等を吹き飛ばすと共に、乾燥させることができる為、極めて高い洗浄性を発揮できる。また、極めて高い凍結防止性も発揮できる。
【００４６】
また、絞り部５３は、流体の流出手段１８が形成されてあると共に、ブラシ体７６にて形成されてある為、ブラシ片６にブラシ体７６当接することができる。その為、絞り体５３を当接した場合においては、ブラシ片６に付着した汚れ、水分等を掻き出して取除くことができると共に、温風、冷風、ミスト等をブラシ片６に吹き付けることができる為、ブラシ片６に付着した水分等を吹き飛ばすと共に、乾燥させることができる為、瞬時に汚れを落とすことができると共に、極めて高い洗浄性を発揮できる。
【００４７】
（実施例３）
図５にて実施例３を示す。図５は、本発明の洗車機用洗浄ブラシを搭載した洗車機である。
【００４８】
図５の如く、洗車機９１は、本発明の実施例に記載の構成の洗車機用洗浄ブラシ１が搭載されてあり、洗車機用洗浄ブラシ１は駆動減９２により回転される。ノズル９３からは、被洗浄面にたいして、洗浄剤、及び水が散布され、洗車機用洗浄ブラシ１により洗浄され、洗浄後は、乾燥機９４等の乾燥手段により被洗浄面が乾燥される。
【００４９】
実施例３の洗車機９１は、上記の如くの構成となっているので、駆動源９２と、被洗浄面に散布する洗浄剤、及び水を噴出させるノズル９３と、洗浄後の被洗浄面を乾燥させる乾燥機９４等の乾燥手段を備えると共に、洗車機用洗浄ブラシ１が搭載されてある為、洗車機用洗浄ブラシ１は、本体部、絞り部、及び連結部を有し、前記本体部は、軸体及びブラシ片を有すると共に、前記ブラシ片は、前記軸体の外周部に形成されてあり、前記絞り部は、前記ブラシ片に当接可能であり、前記連結部にて前記本体部、及び前記絞り部が連結されてある。その為、絞り体にて水分等を絞ることができる為、ブラシ片の汚れ、水分等の除去ができると共に、ブラシ片の磨耗、劣化、脱落等が発生すること無く高い安全性と洗浄性を兼ね備えた非常に優れた洗車機を提供できる。
【産業上の利用可能性】
【００５０】
本発明の洗車機用洗浄ブラシ及び洗車機は、主に、自動車あるいは車両の外面の被洗浄面に付着した汚れ等を洗浄する為の洗車機、及び洗車機に搭載されてある洗車機用洗浄ブラシ、及び洗車機用洗浄ブラシとして使用する。
【図面の簡単な説明】
【００５１】
【図１】本発明の洗車機用洗浄ブラシを前面側から見た斜視図
【図２】（Ａ）本発明の洗車機用洗浄ブラシの他の実施の形態の絞り部の正面図  （Ｂ）本発明の洗車機用洗浄ブラシの他の実施の形態の絞り部の斜視図  （Ｃ）本発明の洗車機用洗浄ブラシの他の実施の形態の絞り部の斜視図
【図３】本発明の他の実施の形態の洗車機用洗浄ブラシの断面図
【図４】（Ａ）本発明の他の実施の形態の洗車機用洗浄ブラシの絞り部の斜視図  （Ｂ）本発明の他の実施の形態の洗車機用洗浄ブラシの絞り部の断面図
【図５】本発明の洗車機用洗浄ブラシを搭載した洗車機の正面図
【符号の説明】
【００５２】
１、１１  洗車機用洗浄ブラシ
２  本体部
３、１３、２３、３３、４３、５３  絞り部
４  連結部
５  軸体
６  ブラシ片
７、１７、２７、３７、４７、５７  レバー
８、１８  流出手段
９、１９  流入手段
４６、５６、７６  ブラシ体
５８  ガイド
６６  プレート
９１  洗車機
９２  駆動源
９３  ノズル
９４  乾燥機
【図１】
2008007024.tif 000003
【図２】
2008007024.tif 000004
【図３】
2008007024.tif 000005
【図４】
2008007024.tif 000006
【図５】
2008007024.tif 000007